(57)【特許請求の範囲】
【請求項１】
交換機の同一回線に複数の端末をマルチ接続し、複数回線が網終端装置を介して前記交換機に収容される通信システムであって、着信時に被呼端末が通信中の時に前記被呼端末が接続されている回線と同一の回線に収容されている端末を検索する検索手段と、前記検索手段で検索された端末のうちの空き端末に前記被呼端末への呼を転送する転送手段とを前記交換機に有することを特徴とする通信システム。
【請求項２】
前記検索手段で検索された端末に対して１端末毎に空き状態を判定する判定手段を前記交換機に含み、
前記転送手段は、前記判定手段が空き端末と判定した端末に前記被呼端末への呼を転送するよう構成したことを特徴とする請求項１記載の通信システム。
【請求項３】
前記転送手段は、前記空き端末に同報機能を用いて前記被呼端末への呼を転送するよう構成したことを特徴とする請求項１記載の通信システム。
【請求項４】
前記交換機は、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）交換機であることを特徴とする請求項１から請求項３のいずれか記載の通信システム。
【請求項５】
交換機の同一回線に複数の端末をマルチ接続し、複数回線が網終端装置を介して前記交換機に収容される通信システムの話中転送方法であって、着信時に被呼端末が通信中の時に前記被呼端末が接続されている回線と同一の回線に収容されている端末を検索するステップと、その検索された端末のうちの空き端末に前記被呼端末への呼を転送するステップとを前記交換機に有することを特徴とする話中転送方法。
【請求項６】
検索された端末に対して１端末毎に空き状態を判定するステップを前記交換機に含み、
前記被呼端末への呼を転送するステップは、前記空き端末と判定した端末に前記被呼端末への呼を転送するようにしたことを特徴とする請求項５記載の話中転送方法。
【請求項７】
前記被呼端末への呼を転送するステップは、前記空き端末に同報機能を用いて前記被呼端末への呼を転送するようにしたことを特徴とする請求項５記載の話中転送方法。
【請求項８】
前記交換機は、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）交換機であることを特徴とする請求項５から請求項７のいずれか記載の話中転送方法。
【請求項９】
交換機の同一回線に複数の端末をマルチ接続し、複数回線が網終端装置を介して前記交換機に収容される通信システムの話中転送制御プログラムを記録した記録媒体であって、前記話中転送制御プログラムは前記交換機に、着信時に被呼端末が通信中の時に前記被呼端末が接続されている回線と同一の回線に収容されている端末を検索させ、その検索された端末のうちの空き端末に前記被呼端末への呼を転送させることを特徴とする話中転送制御プログラムを記録した記録媒体。
【発明の詳細な説明】
【０００１】
【発明の属する技術分野】
本発明は通信システム及びそれに用いる話中転送方法並びにその制御プログラムを記録した記録媒体に関し、特にＩＳＤＮ（Ｉｎｔｅｇｒａｔｅｄ  Ｓｅｒｖｉｃｅｓ  Ｄｉｇｉｔａｌ  Ｎｅｔｗｏｒｋ）交換装置において同一回線に接続した端末の話中転送の方法に関する。
【０００２】
【従来の技術】
従来、通信システムにおいては、話中転送を行う場合、特開平０６−３３８９５４号公報に記載されているように、予め局データとして加入者番号に対応する転送先加入者番号を設定しておく必要があり、その該当データ登録数には上限がある。
【０００３】
【発明が解決しようとする課題】
上述した従来の通信システムでは、話中転送を行う場合、局データを参照してサービスが提供されるので、局データとして加入者番号に対応する転送先加入者番号を登録しなければ、転送サービスを受けることができない。この場合、該当登録データと同数のデータテーブルが必要であり、そのデータテーブル数を越える数の転送先登録を行うことができない。
【０００４】
そこで、本発明の目的は上記の問題点を解消し、局データとして加入者番号に対応する転送先加入者番号を登録しなくても話中転送を行うことができる通信システム及びそれに用いる話中転送方法並びにその制御プログラムを記録した記録媒体を提供することにある。
【０００５】
【課題を解決するための手段】
本発明による通信システムは、交換機の同一回線に複数の端末をマルチ接続し、複数回線が網終端装置を介して前記交換機に収容される通信システムであって、着信時に被呼端末が通信中の時に前記被呼端末が接続されている回線と同一の回線に収容されている端末を検索する検索手段と、前記検索手段で検索された端末のうちの空き端末に前記被呼端末への呼を転送する転送手段とを前記交換機に備えている。
【０００６】
本発明による話中転送方法は、交換機の同一回線に複数の端末をマルチ接続し、複数回線が網終端装置を介して前記交換機に収容される通信システムの話中転送方法であって、着信時に被呼端末が通信中の時に前記被呼端末が接続されている回線と同一の回線に収容されている端末を検索するステップと、その検索された端末のうちの空き端末に前記被呼端末への呼を転送するステップとを前記交換機に備えている。
【０００７】
本発明による話中転送制御プログラムを記録した記録媒体は、交換機の同一回線に複数の端末をマルチ接続し、複数回線が網終端装置を介して前記交換機に収容される通信システムの話中転送制御プログラムを記録した記録媒体であって、前記話中転送制御プログラムは前記交換機に、着信時に被呼端末が通信中の時に前記被呼端末が接続されている回線と同一の回線に収容されている端末を検索させ、その検索された端末のうちの空き端末に前記被呼端末への呼を転送させている。
【０００８】
すなわち、本発明の話中転送方法は、ＩＳＤＮ交換機の同一回線に複数の端末をマルチ接続し、国際勧告（ＩＴＵ−Ｔ）Ｉシリーズにおける基本インタフェースで網終端装置を介して複数回線収容した通信システムにおいて、ＩＳＤＮ交換機に加入者番号テーブルから同一回線に収容されている加入者をサーチする手段を備え、着信時に被呼端末が通信中の場合、加入者番号テーブルから該当端末と同一回線に接続されている端末をサーチし、空き端末に呼を転送する手段とを有している。
【０００９】
これによって、予めＩＳＤＮ交換機の局データに話中転送先が登録されていなくても、加入者番号テーブルから同一回線に接続されている端末をサーチする手段によって空き端末をサーチし、サーチした空き端末に呼を転送することによって、着信時に被呼端末が通信中の場合であっても、空き端末に呼を転送することが可能となる。
【００１０】
したがって、話中転送において、局データの登録／変更が不要となるので、操作性の向上を図ることが可能となる。また、局データ登録メモリの省メモリ化を図ることが可能となるので、資源の再利用性を向上させることが可能となる。よって、同一回線に収容されている端末の話中転送時に、ＩＳＤＮ交換機の交換サービスデータを介在せずに、話中転送が可能な通信方式を提供することが可能となる。
【００１１】
【発明の実施の形態】
次に、本発明の一実施例について図面を参照して説明する。図１は本発明の一実施例による通信システムの構成を示すブロック図である。図１において、本発明の一実施例による通信システムは交換機１と、網終端装置２〜４とから構成されており、交換機１には網終端装置２〜４を介してそれぞれ端末５〜９が接続されている。
【００１２】
交換機１には、内線／外線とのインタフェース１０，１２と、局内通話路１１と、中央制御部１３とを備え、中央制御部１３は加入者番号や回線番号等を管理する加入者番号管理処理１５と、加入者番号管理１５から端末を検索する加入者検索処理１４と、呼の転送を行う転送処理１６とを有している。
【００１３】
図２は本発明の一実施例による話中転送処理を示すフローチャートである。図２においては交換機１が図示せぬ加入者番号テーブルを検索し、空き端末へ呼を転送する処理を示している。
【００１４】
これら図１及び図２を参照して本発明の一実施例による話中転送処理について説明する。ここでは端末５と端末７とが通信中に端末６から端末７へ発信した場合の動作について以下説明する。
【００１５】
尚、図２に示す処理動作は中央制御部１３が図示せぬ制御メモリのプログラムを実行することで実現され、制御メモリとしてはＲＯＭ（リードオンリメモリ）やＩＣ（集積回路）メモリ等が使用可能である。
【００１６】
まず、中央制御部１３は端末５〜９がいずれも空き状態において、端末５から端末７への発信を受付けると、通常の交換動作を行い、端末５と端末７との接続を行う（図２ステップＳ１，Ｓ８）。
【００１７】
次に、中央制御部１３は端末６から端末７への発信を受付けると、端末７が通信中であることを認識しているので（図２ステップＳ１）、加入者検索処理１４が加入者番号管理処理１５から端末７と同一回線に接続されている端末８，９を検索する（図２ステップＳ２，Ｓ３）。
【００１８】
加入者検索処理１４は検索した端末８の状態をチェックする（図２ステップＳ５）。中央制御部１３は端末８が空き状態であれば（図２ステップＳ６）、転送処理１６によって転送処理を行う（図２ステップＳ７）。
【００１９】
これによって、中央制御部１３は端末７が通信中に、端末６から端末７へ発信した場合には、端末６からの呼が端末７と同一回線に接続されている端末８へ転送されるので、端末６と端末８とが接続される。
【００２０】
また、加入者検索処理１４は端末８も通信中の場合（図２ステップＳ６）、加入者番号管理処理１５から検索した端末９の状態をチェックする（図２ステップＳ９，Ｓ５）。中央制御部１３は端末９が空き状態の場合（図２ステップＳ６）、上記と同様に、転送処理１６によって転送処理を行う（図２ステップＳ７）。
【００２１】
これによって、端末７が通信中に端末６から端末７へ発信した場合には、端末７と同一回線に接続されている端末８が通信中であっても、端末６からの呼が同一回線に接続されている他の端末９へ転送されるので、端末６と端末９とが接続される。
【００２２】
一方、加入者検索処理１４が加入者番号管理処理１５を検索した結果、同一回線に接続している加入者が存在しない場合には（図２ステップＳ３）、発信端末に対して切断処理を行う（図２ステップＳ４）。
【００２３】
また、加入者検索処理１４が加入者番号１５を検索した結果、検索された端末が全て通信中の場合には（図２ステップＳ７，Ｓ９）、中央制御部１３は、発信端末に対して切断処理を行う（図２ステップＳ１０）。
【００２４】
このように、被呼端末が通信中の場合、交換機１が同一回線に接続された端末７〜９をサーチし、それらのうちの空いている端末に呼を転送することによって、局データとして加入者番号に対応する転送先加入者番号を登録しなくても話中転送を行うことができる。また、交換機１においては話中転送する加入者番号と転送先加入者番号とを局データに登録する必要がないので、局データの省メモリ化を図ることができる。
【００２５】
図３は本発明の他の実施例による話中転送処理を示すフローチャートである。本発明の他の実施例では転送処理が異なる以外は上記の本発明の一実施例と同様のシステム構成であるので、図１及び図３を参照して本発明の他の実施例による話中転送処理について説明する。
【００２６】
ここでは端末５と端末７とが通信中に端末６から端末７へ発信した場合の動作について以下説明する。尚、図３に示す処理動作は中央制御部１３が図示せぬ制御メモリのプログラムを実行することで実現され、制御メモリとしてはＲＯＭやＩＣメモリ等が使用可能である。
【００２７】
まず、中央制御部１３は端末５〜９がいずれも空き状態において、端末５から端末７への発信を受付けると、通常の交換動作を行い、端末５と端末７との接続を行う（図３ステップＳ２１，Ｓ２７）。
【００２８】
次に、中央制御部１３は端末６から端末７への発信を受付けると、端末７が通信中であることを認識しているので（図３ステップＳ２１）、加入者検索処理１４が加入者番号管理処理１５から端末７と同一回線に接続されている端末８，９を検索する（図２ステップＳ２２，Ｓ２３）。
【００２９】
加入者検索処理１４は検索した端末８，９の状態をチェックする（図３ステップＳ２４）。中央制御部１３は少なくとも端末８，９のうちのいずれかが空き状態であれば（図３ステップＳ２５）、転送処理１６の同報機能によって空き端末に転送処理を行う（図３ステップＳ２６）。
【００３０】
これによって、中央制御部１３は端末７が通信中に、端末６から端末７へ発信した場合には、端末６からの呼が端末７と同一回線に接続されている端末８，９のうちの空き端末に転送されるので、端末６と空き端末とが接続される。
【００３１】
一方、加入者検索処理１４が加入者番号管理処理１５を検索した結果、同一回線に接続している加入者が存在しない場合（図３ステップＳ２３）、または加入者検索処理１４は端末８，９のいずれもが通信中の場合（図３ステップＳ２５）、発信端末に対して切断処理を行う（図３ステップＳ２８）。
【００３２】
このように、被呼端末が通信中の場合、交換機１が同一回線に接続された端末７〜９をサーチし、それらのうちの空いている端末に同報機能を用いて一度に呼を転送することによって、局データとして加入者番号に対応する転送先加入者番号を登録しなくても話中転送を行うことができる。また、交換機１においては話中転送する加入者番号と転送先加入者番号とを局データに登録する必要がないので、局データの省メモリ化を図ることができる。
【００３３】
尚、上記の本発明の一実施例及び他の実施例では同一回線に３端末を接続している場合について述べているが、同一回線に、ＩＴＵ−Ｔ勧告Ｉシリーズに規定される端末数（８台）を接続することも可能である。
【００３４】
【発明の効果】
以上説明したように本発明によれば、交換機の同一回線に複数の端末をマルチ接続し、複数回線が網終端装置を介して交換機に収容される通信システムにおいて、着信時に被呼端末が通信中の時に被呼端末が接続されている回線と同一の回線に収容されている端末を検索し、その検索された端末のうちの空き端末に被呼端末への呼を転送することによって、局データとして加入者番号に対応する転送先加入者番号を登録しなくても話中転送を行うことができるという効果がある。
【図面の簡単な説明】
【図１】本発明の一実施例による通信システムの構成を示すブロック図である。
【図２】本発明の一実施例による話中転送処理を示すフローチャートである。
【図３】本発明の他の実施例による話中転送処理を示すフローチャートである。
【符号の説明】
１  交換機
２〜４  網終端装置
５〜９  端末
１０，１２  インタフェース
１１  局内通話路
１３  中央制御部
１４  加入者検索処理
１５  加入者番号管理処理
１６  転送処理
【図１】
0003686816.tif 000002
【図２】
0003686816.tif 000003
【図３】
0003686816.tif 000004